(57)【要約】【課題】耳の外縁に渡って装飾を施すために、特に耳の上部外縁に装着することが好適な耳飾りを提供することを課題とする。【解決手段】耳飾り（Ｘ）として、先端側が耳介上部裏側に当接する耳輪上部に掛かる１以上のフック（２１、２２）からなる保持部（２０）と、前記フック（２１、２２）の基端側に設けられる、耳輪の表側において耳輪上部に沿って下垂する線材（１１）を有する装飾部（１０）とにより構成する。前記フック（２１、２２）の先端部には、当接面積を大きくするためのパッド（２１ａ、２２ａ）を設けることが望ましい。【選択図】  図１
0003165474.tif 000002
【実用新案登録請求の範囲】
【請求項１】
先端側が耳介上部裏側に当接する耳輪上部に掛かる１以上のフックからなる保持部と、
前記フックの基端側に設けられる、耳輪の表側において耳輪上部に沿って下垂する線材を有する装飾部と
を有する耳飾り。
【請求項２】
前記フックの先端部には、パッドが設けられるものである請求項１に記載の耳飾り。
【考案の詳細な説明】
【技術分野】
【０００１】
本考案は、耳飾り関し、特に、耳輪上縁に沿って装飾するものに関する。
【背景技術】
【０００２】
耳飾りには、耳垂に装着するイヤリングや、耳垂や耳介に穴を開けて固定するピアスが一般的であるが、この他に、下記特許文献１、２に示されるように、耳介の付け根に引っ掛けて装着するイヤーフックや、耳輪を跨いで耳介の表裏を狭持するイヤーカフスなどがある。また、下記特許文献３には、耳輪に被せることで装着する耳飾りが示されている。
【先行技術文献】
【特許文献】
【０００３】
【特許文献１】実用新案登録第３０２５０８８号公報
【特許文献２】実用新案登録第３１１００４７７号公報
【特許文献３】実開平６−８６５４２号公報
【考案の概要】
【考案が解決しようとする課題】
【０００４】
ところで、耳の外縁に渡って装飾を施すことを考えたとき、イヤリングは耳の下方側を装飾することには適するが、上方側を装飾することができない。ピアスは場所を問わず装飾が可能であるが、一般的に耳介の上方側にピアスホールを開けることはまれであり、耳垂以外に設けることは通常は行われない。イヤーフックは、耳介の裏側に引っ掛けるものであるため、耳の上方の付け根近傍と、耳の下方を装飾するには適するが、耳輪に沿って装飾することには向かない。イヤーカフスは耳輪を挟むので、耳が痛くなりやすいという問題がある。さらに、特許文献３に記載の考案は耳の外縁に渡って装飾することに適しているが、装着する人の耳ごとに作成する必要があり、汎用性がない。
本考案は、このような問題に鑑み、耳の外縁に渡って装飾を施すために、特に耳の上部外縁に装着することが好適な耳飾りを提供することを課題とする。
【課題を解決するための手段】
【０００５】
上記課題を解決するために、本考案は次のような構成を有する。
請求項１に記載の考案は、先端側が耳介上部裏側に当接する耳輪上部に掛かる１以上のフックからなる保持部と、前記フックの基端側に設けられる、耳輪の表側において耳輪上部に沿って下垂する線材を有する装飾部とを有する耳飾りである。
請求項２に記載の考案は、前記耳飾りにおいて、前記フックの先端部には、当接面積を大きくするためのパッドが設けられるものである。
【考案の効果】
【０００６】
以上のような構成により、本考案は次のような効果を奏する。
請求項１に記載の考案は、フックを支点として耳輪上部裏側に当接し、フックに連なる装飾部が耳輪上部に沿って下垂することでバランスを保った状態で耳に固定することができる。そして、耳介を挟む構造ではないので、イヤーカフスのように耳が痛くなることもなく、ピアスのように耳介に穴を開ける必要もなく、耳輪に被せる耳飾りにように耳の形状に合わせる必要もない。
請求項２に記載の考案は、フックの先端にパッドを設けることで当接部分の圧力が分散し装着感を高くすることができる。
【図面の簡単な説明】
【０００７】
【図１】実施形態に係る耳飾りの背面図である。
【図２】実施形態に係る耳飾りの装着状態を示す斜視図である。
【図３】実施形態に係る耳飾りの装着状態を示す正面図である。
【考案を実施するための形態】
【０００８】
以下、本考案の実施の形態について、図面を参照しながら説明する。
図１に本実施形態に係る耳飾りＸの背面図を示し、図２に耳飾りＸの装着状態を示す斜視図を示す。図２は、耳Ｙの裏側を斜め上方から見た状態を示している。また、図３に耳飾りＸの装着状態を示す正面図を示す。なお、図に示す耳飾りＸは左耳用のものである。
耳飾りＸは、装飾部１０と保持部２０とから構成される。装飾部１０は、耳輪上部に沿うような弓型をした金属からなる線材１１と、線材１１の正面側にロウ付けされる装飾物１２とから構成される。
【０００９】
保持部２０は、上部フック２１と補助フック２２とから構成される。上部フック２１は、針金を曲げて形成されるものであり、先端に設けられる渦巻き状に巻くことで当接面を広くするよう形成されたパッド２１ａと、パッド２１ａから上方向に延びる縦部材２１ｂと、縦部材の上端から前記線材１１まで、ほぼ水平面内を斜めに繋ぐ横部材２１ｃとから構成される。上部フック２１はパッド２１ａが、線材１１の頂点部のほぼ真下に位置するように横部材２１ｃの基端部が線材２１の裏面にロウ付けにより固定される。補助フック２２は、先端に設けられるバネ鋼からなる針金を丸く曲げることで当接面を広くするように形成されたパッド２２ａと、パッド２２ａの両端部から延びる縦部材２２ｂと、縦部材２２ｂの上端を回動可能に保持する、板体からなる横部材２２ｃとから構成される。横部材２２ｃは、線材２１の最上部よりやや後方下側の曲線に接する平面内に存するように、線材１１の背面側にロウ付けにより固定される。横部材２２ｃの先端側は二股に別れ、それぞれがパイプ状に巻かれている。縦部材２２ｂの二つの上端は互いに逆方向に折り曲げられ、折り曲げられた端部が横部材２２ｃのパイプ状に巻かれた部分に回動可能に保持される。縦部材２２ｂはバネ鋼によりそれぞれが離れて外側に広がるように弾性力が掛かるようになっている一方、横部材２２ｃのパイプ状に巻かれている部分の内側周縁は図示しない段差が設けられることで、縦部材２２ｂとこれに連なるパッド２２ａは各図に示す横部材２２ｃに対して略垂直な状態と、横部材２２ｃに対してほぼ水平な状態の２つの状態で安定するように形成されている。
【００１０】
以上のような構成を有する耳飾りＸは、装着に際しては、補助フック２２の縦部材２２ｂとこれに連なるパッド２２ａを横部材２２ｃに対してほぼ水平状態としておき、上部フック２１を図２、３に示すように耳Ｙの耳介上部ほぼ中央位置に引っ掛ける。これにより上部フック２１は耳輪上縁に引っ掛かるとともに、パッド２１ａは図２に示すように耳介上部裏側に当接する。装飾部１０は耳介上縁を挟んで重みで下方側に向かう力が発生するので、上部フック２１によりぶら下がった状態で安定する。そして、さらに、補助フック２２の縦部材２２ｂ及びパッド２２ａを横部材２２ｃに対して各図に示すようにほぼ垂直状態となるように曲げると、補助フック２２のパッド２２ａが耳介の上方やや側方の裏面に当接する。これにより、装飾部１０は二箇所のフックで支持されることとなるので、より安定する。
このように耳飾りＸは、耳の上部に引っ掛けて、これより下垂する線材１１を主とする装飾部１０を保持するので、圧迫感が少なく軽い装着感を得ることができる。また、保持部１０として上部フック１１に加えて補助フック１２を設けることで、より安定して装飾部１０を固定することができる。
また、上記構成を有する、耳輪の下方側に沿った線材を有する装飾を施したイヤリングと組み合わせることで、耳の外縁全体に沿って装飾を施すことが可能となる。
【００１１】
なお、保持部を構成するフックの数は適宜変更することが可能であり、パッド、縦部材、横部材の形状や材質も種々の変形が可能である。また、耳輪に沿う部分を有するものであれば、付加的に耳輪の内周方向や外周方向に延びる構成を任意に設けることができる。
【符号の説明】
【００１２】
Ｘ  耳飾り
１０  装飾部
１１  線材
１２  装飾物
２０  保持部
２１  上部フック
２２  補助フック
２１ａ、２２ａ  パッド
２１ｂ、２２ｂ  縦部材
２１ｃ、２２ｃ  横部材
【図１】
0003165474.tif 000003
【図２】
0003165474.tif 000004
【図３】
0003165474.tif 000005